(57)【要約】【課題】有機廃棄物に含まれる水分を清水として再利用する。【解決手段】有機廃棄物に含まれる水分を発生源とする水蒸気の捕集・冷却により清水を得る。【選択図】図１
2004249240.tif 000002
【特許請求の範囲】
【請求項１】
有機廃棄物に含まれる水分を発生源とする水蒸気の捕集・冷却により清水を得る方法。
【請求項２】
有機廃棄物の分解処理時に発生する水蒸気の捕集・冷却により清水を得る方法。
【請求項３】
有機廃棄物の分解処理時に発生する水蒸気を捕集する捕集手段と、当該水蒸気を冷却する冷却手段を含む有機廃棄物の分解処理装置。
【発明の詳細な説明】
【０００１】
【発明の属する技術分野】
本発明は、人や家畜の糞尿、生ゴミなどの有機廃棄物から清水を得る方法および有機廃棄物の分解処理装置に関する。
【０００２】
【従来の技術】
従来の有機廃棄物の分解処理装置は、処理槽内で有機廃棄物とマトリクス（おが屑）とを混合攪拌して、有機廃棄物中に生息しているバクテリアの活性および繁殖を高めるとともに、分解処理の過程での発熱または／および加温装置による加温で有機廃棄物中の水分を蒸発させることによって、効率的に有機廃棄物を分解、かつ脱臭するようにしている。（例えば、特許文献１参照）
【０００３】
【特許文献１】
特開平１１−３００３２４号（〔００１０〕、〔図１〕および〔図３〕）
【０００４】
ところで、有機廃気物には多量の水分が含まれており、例えば糞尿に含まれる水分は約９０パーセント以上であるため、大量の有機廃棄物を処理する分解処理装置においては、分解処理中の蒸発によって生じる水蒸気は相当量となっている。本発明者は、ここで生じる水蒸気が極めてきれいなものであり、この水蒸気を水としたときには飲用にも適していることを知見し、本発明を提案するものである。
【０００５】
【発明が解決しようとする課題】
本発明は、有機廃棄物に含まれる水分を清水として再利用することを課題とし、その課題を解決できる方法の提供を目的とする。
さらに、有機廃棄物を分解処理してその処理物を有機肥料や土壌改良材として再利用した上で、有機廃棄物に含まれる水分を清水として再利用することを課題とし、この課題を解決できる方法の提供を目的とする。
さらに、これらの方法を具体的に実施できる有機廃棄物の分解処理装置の提供を目的とする。
【０００６】
【課題を解決するための手段】
本発明は前記した課題を達成するために、下記の技術的手段を採用した。
その技術的手段は、有機廃棄物に含まれる水分を発生源とする水蒸気の捕集・冷却により清水を得る方法である（請求項１）。
【０００７】
【発明の実施の形態】
有機廃棄物に含まれる水分は、例えば、有機廃棄物の分解処理時に発生する熱によって蒸発し、この蒸発時に水蒸気が発生する。
つまり、有機廃棄物の分解処理時に発生する水蒸気の捕集・冷却により清水を得る方法（請求項２）である。
【０００８】
請求項２の方法を具体的に実施する装置としては、有機廃棄物の分解処理時に発生する水蒸気を捕集する捕集手段１と、当該水蒸気を冷却する冷却手段２を含む有機廃棄物の分解処理装置Ａである（請求項３）。
【０００９】
請求項３における分解処理装置Ａは、例えば、図示するように、有機廃棄物の分解処理時に発生する醗酵熱または／およびおよび加温装置による加温で有機廃棄物中の水分を蒸発させる構造のものにおいて、水分の蒸発により生じる水蒸気を捕集手段１が捕集し、捕集された水蒸気を冷却手段２が冷却して清水を得るものが挙げられる。
【００１０】
請求項３の発明によれば、有機廃棄物を分解処理して有機肥料や土壌改良材として再利用できる処理物が得られる一方、有機廃棄物の分解処理時に発生する水蒸気を捕集・冷却することにより清水を得ることができる。
そして、ここで得られる清水は、前記したように飲用にも用いることができるものであるので、そのまま、河川や海に排水しても環境に何ら悪影響を与えることが無い上に、得られる水を貯めてこれを手洗い用水、園芸用水、農業用水、工業用水等に幅広く使用することができる。
特に、慢性的に水不足が懸念される地域においては、水不足解消に極めて効果的である。
また、水蒸気を捕集することにより、処理装置内における水蒸気の残留時間を短縮し、有機廃棄物の余剰水分を効率的に取り去ることができる。
つまり、有機廃棄物に含まれる水分を短時間で好適な量にすることができるので、有機廃棄物の微生物分解が効率的なものとなる。
【００１１】
有機廃棄物の微生物分解においては、微生物を効率的に繁殖させるためにマトリクスを用いることが好ましく、好適には、保水性および排水性に優れ、高い空隙率を有するおが屑である。
【００１２】
水蒸気の捕集手段の構成については、水蒸気を捕集可能な構成のすべてを含む。
例えば、図示するように、吸気ファンによって水蒸気を強制的に吸い込んで捕集する強制捕集構造が含まれる。
また、図示はしないが、上昇する水蒸気の勢いを利用し、上昇する水蒸気をそのまま受けるように捕集する自然捕集構造が含まれる。
【００１３】
水蒸気の冷却手段の構成については、水蒸気を冷却可能な構成のすべてを含む。
例えば、図示するように、パイプ３を分解処理装置Ａ内外に連通するように配管し、配管したパイプ３を外気によって冷却して配管中を通過する水蒸気の冷却とする自然冷却構造が含まれる。
また、図示はしないが、例えば、パイプの配管道中に冷却装置を設け、当該冷却装置を通過する水蒸気を冷却する強制冷却構造が含まれる。
【００１４】
【実施例】
以下、本発明の実施の一例を図面に基づいて説明すると、図１は本発明にかかる有機廃棄物（以下、「糞尿」と略称する。）の分解処理装置Ａの模式図を示している。
分解処理装置Ａは、処理槽Ｂ内で発生する水蒸気を捕集する捕集手段１と、水蒸気を冷却する冷却手段２と、糞尿をおが屑共々攪拌する攪拌部Ｂ１と、糞尿とおが屑を加温する加温手段Ｃを備えている。
【００１５】
捕集手段１は、処理槽Ｂの上面に配管された冷却手段２の道中に配設された吸気ファンにより構成されている。
この捕集手段１は、処理槽内で発生する糞尿からの水蒸気を吸い込むとともに、冷却手段２の末端方向に向けて送り出すようにしてある。
【００１６】
冷却手段２は、パイプ３を処理槽Ｂ内外に連通するように配管し、配管したパイプ３を外気によって冷却して配管中を通過する水蒸気の冷却とする自然冷却構造である。
パイプ３は蛇行状に配管して、配管スペースを小さくしながら配管距離を長くすることによって、分解処理装置Ａの設置スペースの拡大を最小限とした上で、水蒸気の冷却を確実、かつ効率的に行えるようにしている。
パイプ３の末端は、タンク４に配管されており、冷却手段２で生じた清水が順次タンク４に貯水されるようにしてある。
【００１７】
なお、本発明では前記水タンク４を備えた例に限定されるものではなく、例えば配管を下水に直結して排水する例、河川に直接排水する例等も包含する。
【００１８】
攪拌部Ｂ１は、モータ（動力機構）Ｍにより回転する回転軸１１周りに、ブレード１２を螺旋状に配設した略スクリュー状のものであり、前記回転軸１１の回転に伴ってブレード１２が糞尿とおが屑とを回転軸１１の軸線にそって搬送させながら攪拌するものである。
【００１９】
加温手段Ｃは、処理層Ｂの底部外側に設けられたヒーターＣ１と、温風の送風装置Ｃ２とからなり、これらの加温によって、糞尿とおが屑を微生物分解に好適な温度に保つとともに、糞尿に含まれる水分を迅速に蒸発させて、糞尿の微生物分解を効率的に行えるようにしている。
ヒーターＣ１からの熱は、特に、糞尿とおが屑とを微生物分解に好適な温度に保つのに効果的に作用し、送風装置Ｃ２からの温風は、特に、水分の迅速な蒸発に効果的に作用する。
【００２０】
温風装置Ｃ２は、分解処理装置Ａ外の温風発生装置２１と、処理槽Ｂ内の上面に吐出口２２を下向きとして配管した吐出管２３とからなり、温風発生装置２１で発生した温風が、吐出管２３から糞尿とおが屑に吹きかけられるようにしてある。
温風の吹きかけは、前記攪拌部Ｂ１の作動状態において行うことにより、糞尿に含まれる水分の効率的な蒸発が行われる。
【００２１】
以下、前記のように構成した分解処理装置Ａの動作を説明する。
分解処理装置Ａを作動させると、有機廃棄物とおが屑との攪拌時における分解処理の過程での醗酵熱と、および加温手段Ｃでの加温による熱とによって有機廃棄物に含まれる水分が蒸発する。
このとき、発生する水蒸気は、捕集手段１によって吸い込まれて冷却手段２へ順次送り込まれ、冷却手段２での水蒸気は、捕集手段１によってパイプ３内を下流方向へ順次流れていく。
パイプ３内を流れる水蒸気は、外気によるパイプ３の冷却に伴って冷却されて徐々に水となり、その水は飲用にも適する清水であり、そのままパイプ３内を流れてタンク４に貯留される。
その一方、攪拌される有機廃棄物は微生物により分解処理されるが、このとき、醗酵熱と加温装置Ｃの加温および水蒸気の捕集により、有機廃棄物に含まれる余剰水分が効率的に蒸発するので効率的に分解処理される。
つまり、従来同様に、有機廃棄物を攪拌により分解処理して有機肥料や土壌改良材として再利用できる処理物が得られる一方、有機廃棄物の分解処理時に発生する水蒸気を捕集・冷却することにより清水を得ることができる。
【００２２】
図２は、前記図１に示す分解処理装置Ａを長さ方向に略２連状とした大型の分解処理装置Ａ’であり、より多くの有機廃棄物を分解処理可能なものである。
概略を説明すると、図面上左右にそれぞれ処理槽Ｂを備え、各処理槽Ｂに独立して作動する攪拌部Ｂ１および加温装置Ｃを備え、攪拌部Ｂ１は、回転軸１１の一端部それぞれが分解処理装置Ａ’の中央の軸受１３により支持されており、他端部それぞれがモーターＭに連結してある。
さらに、処理槽Ｂそれぞれに捕集手段１を備えられ、それぞれの捕集手段１からの水蒸気を合体させて冷却する冷却手段２を備えている。
つまり、この分解処理装置Ａ’では、より多くの有機廃棄物を分解処理した上に、より多くの清水を得ることができる。
なお、図１と重複する部位についての説明は、図面に同符号を付すことにより省略する。
【００２３】
本発明は、例示した実施例に限定するものではなく、特許請求の範囲に記載された内容から逸脱しない範囲において他の構成による実施が可能である。
【図面の簡単な説明】
【図１】本発明に係る分解処理装置の模式図。
【図２】本発明に係る分解処理装置の他の例の模式図。
【符号の説明】
Ａ：分解処理装置
Ｂ：処理漕
１：捕集手段
２：冷却手段
【図１】
2004249240.tif 000003
【図２】
2004249240.tif 000004